【手続補正書】
【提出日】平成30年3月13日(2018.3.13)
【手続補正１】
【補正対象書類名】特許請求の範囲
【補正対象項目名】全文
【補正方法】変更
【補正の内容】
【特許請求の範囲】
【請求項１】
コンピュータ実装方法であって、
ユーザをモバイルデバイス上で認証するステップと、
前記モバイルデバイスによって捕捉されるデータの評価に基づいて、前記デバイスが前記ユーザの物理的所有のままである可能性を表す値を判定するステップと、
前記値が第１の閾値未満であることの判定に応じて、前記モバイルデバイス上で再認証することを前記ユーザに要求するステップと
を含む、方法。
【請求項２】
前記ユーザは、パスワード、パスフレーズ、ジェスチャ、デジタル証明、およびバイオメトリック識別子のうちの少なくとも１つに基づいて認証される、請求項１に記載の方法。
【請求項３】
前記モバイルデバイスによって捕捉されるデータは、複数の無線信号読取値を含む、請求項１に記載の方法。
【請求項４】
前記値を判定するステップは、前記無線信号読取値間の差異が閾値を超えるかどうかを評価するステップを含む、請求項３に記載の方法。
【請求項５】
前記評価は、前記モバイルデバイスが移動したことの判定に応じて行われる、請求項３に記載の方法。
【請求項６】
前記モバイルデバイスによって捕捉されるデータは、移動または位置センサからの読取値を含む、請求項１に記載の方法。
【請求項７】
前記値を判定するステップは、前記移動または位置センサ読取値が前記ユーザの既知の挙動パターンと合致するかどうかを評価するステップを含む、請求項６に記載の方法。
【請求項８】
前記モバイルデバイスによって捕捉されるデータは、前記モバイルデバイスと関連付けられたマイクロホンによって捕捉されるオーディオを含む、請求項１に記載の方法。
【請求項９】
前記値を判定するステップは、音響測距および音声認識のうちの少なくとも１つを使用して、前記ユーザが前記モバイルデバイスの閾値距離内に居るかどうかを判定するステップを含む、請求項８に記載の方法。
【請求項１０】
前記音響測距は、前記モバイルデバイスが移動したことの判定に応じて行われる、請求項８に記載の方法。
【請求項１１】
前記モバイルデバイスによって捕捉されるデータは、前記モバイルデバイスと関連付けられたカメラによって捕捉される１つまたはそれを上回る画像を含む、請求項１に記載の方法。
【請求項１２】
前記値を判定するステップは、前記画像を分析し、前記ユーザが示されているかどうかを判定するステップを含む、請求項１１に記載の方法。
【請求項１３】
前記画像のうちの少なくとも１つは、前記モバイルデバイスと関連付けられたカメラが前記ユーザへの視線を有することの判定に応じて捕捉される、請求項１１に記載の方法。
【請求項１４】
前記値が、前記第１の閾値を上回り、かつ第２の閾値未満であることの判定に応じて、前記モバイルデバイス上の特徴のサブセットを非アクティブ化するステップをさらに含む、請求項１に記載の方法。
【請求項１５】
１つまたはそれを上回るコンピュータを備えるシステムであって、
前記１つまたはそれを上回るコンピュータは、
ユーザをモバイルデバイス上で認証することと、
前記モバイルデバイスによって捕捉されるデータの評価に基づいて、前記デバイスが前記ユーザに所有されたままである可能性を表す値を判定することと、
前記値が第１の閾値未満であることの判定に応じて、前記モバイルデバイス上で再認証することを前記ユーザに要求することと
を含む動作を行うようにプログラムされている、システム。
【手続補正２】
【補正対象書類名】明細書
【補正対象項目名】０００５
【補正方法】変更
【補正の内容】
【０００５】
本明細書に説明される主題の１つまたはそれを上回る実装の詳細は、付随の図面および以下の説明に記載される。本主題の他の特徴、側面、および利点は、説明、図面、ならびに請求項から明白となるであろう。
本願明細書は、例えば、以下の項目も提供する。
（項目１）
コンピュータ実装方法であって、
ユーザをモバイルデバイス上で認証するステップと、
前記モバイルデバイスによって捕捉されるデータの評価に基づいて、前記デバイスが前記ユーザの物理的所有のままである可能性を表す値を判定するステップと、
前記値が第１の閾値未満であることの判定に応じて、前記モバイルデバイス上で再認証することを前記ユーザに要求するステップと
を含む、方法。
（項目２）
前記ユーザは、パスワード、パスフレーズ、ジェスチャ、デジタル証明、およびバイオメトリック識別子のうちの少なくとも１つに基づいて認証される、項目１に記載の方法。
（項目３）
前記モバイルデバイスによって捕捉されるデータは、複数の無線信号読取値を含む、項目１に記載の方法。
（項目４）
前記値を判定するステップは、前記無線信号読取値間の差異が閾値を超えるかどうかを評価するステップを含む、項目３に記載の方法。
（項目５）
前記評価は、前記モバイルデバイスが移動したことの判定に応じて行われる、項目３に記載の方法。
（項目６）
前記モバイルデバイスによって捕捉されるデータは、移動または位置センサからの読取値を含む、項目１に記載の方法。
（項目７）
前記値を判定するステップは、前記移動または位置センサ読取値が前記ユーザの既知の挙動パターンと合致するかどうかを評価するステップを含む、項目６に記載の方法。
（項目８）
前記モバイルデバイスによって捕捉されるデータは、前記モバイルデバイスと関連付けられたマイクロホンによって捕捉されるオーディオを含む、項目１に記載の方法。
（項目９）
前記値を判定するステップは、音響測距および音声認識のうちの少なくとも１つを使用して、前記ユーザが前記モバイルデバイスの閾値距離内に居るかどうかを判定するステップを含む、項目８に記載の方法。
（項目１０）
前記音響測距は、前記モバイルデバイスが移動したことの判定に応じて行われる、項目８に記載の方法。
（項目１１）
前記モバイルデバイスによって捕捉されるデータは、前記モバイルデバイスと関連付けられたカメラによって捕捉される１つまたはそれを上回る画像を含む、項目１に記載の方法。
（項目１２）
前記値を判定するステップは、前記画像を分析し、前記ユーザが示されているかどうかを判定するステップを含む、項目１１に記載の方法。
（項目１３）
前記画像のうちの少なくとも１つは、前記モバイルデバイスと関連付けられたカメラが前記ユーザへの視線を有することの判定に応じて捕捉される、項目１１に記載の方法。
（項目１４）
前記値が、前記第１の閾値を上回り、かつ第２の閾値未満であることの判定に応じて、前記モバイルデバイス上の特徴のサブセットを非アクティブ化するステップをさらに含む、項目１に記載の方法。
（項目１５）
１つまたはそれを上回るコンピュータを備えるシステムであって、
前記１つまたはそれを上回るコンピュータは、
ユーザをモバイルデバイス上で認証することと、
前記モバイルデバイスによって捕捉されるデータの評価に基づいて、前記デバイスが前記ユーザに所有されたままである可能性を表す値を判定することと、
前記値が第１の閾値未満であることの判定に応じて、前記モバイルデバイス上で再認証することを前記ユーザに要求することと
を含む動作を行うようにプログラムされている、システム。
（項目１６）
前記ユーザは、パスワード、パスフレーズ、ジェスチャ、デジタル証明、およびバイオメトリック識別子のうちの少なくとも１つに基づいて認証される、項目１５に記載のシステム。
（項目１７）
前記モバイルデバイスによって捕捉されるデータは、複数の無線信号読取値を含む、項目１５に記載のシステム。
（項目１８）
前記値を判定することは、前記無線信号読取値間の差異が閾値を超えるかどうかを評価することを含む、項目１７に記載のシステム。
（項目１９）
前記評価は、前記モバイルデバイスが移動したことの判定に応じて行われる、項目１７に記載のシステム。
（項目２０）
前記モバイルデバイスによって捕捉されるデータは、移動または位置センサからの読取値を含む、項目１５に記載のシステム。
（項目２１）
前記値を判定することは、前記移動または位置センサ読取値が前記ユーザの既知の挙動パターンと合致するかどうかを評価することを含む、項目２０に記載のシステム。
（項目２２）
前記モバイルデバイスによって捕捉されるデータは、前記モバイルデバイスと関連付けられたマイクロホンによって捕捉されるオーディオを含む、項目１５に記載のシステム。
（項目２３）
前記値を判定することは、音響測距および音声認識のうちの少なくとも１つを使用して、前記ユーザが前記モバイルデバイスの閾値距離内に居るかどうかを判定することを含む、項目２２に記載のシステム。
（項目２４）
前記音響測距は、前記モバイルデバイスが移動したことの判定に応じて行われる、項目２２に記載のシステム。
（項目２５）
前記モバイルデバイスによって捕捉されるデータは、前記モバイルデバイスと関連付けられたカメラによって捕捉される１つまたはそれを上回る画像を含む、項目１５に記載のシステム。
（項目２６）
前記値を判定することは、前記画像を分析し、前記ユーザが示されているかどうかを判定することを含む、項目２５に記載のシステム。
（項目２７）
前記画像のうちの少なくとも１つは、前記モバイルデバイスと関連付けられたカメラが前記ユーザへの視線を有することの判定に応じて捕捉される、項目２５に記載のシステム。
（項目２８）
前記動作はさらに、前記値が、前記第１の閾値を上回り、かつ第２の閾値未満であることの判定に応じて、前記モバイルデバイス上の特徴のサブセットを非アクティブ化することを含む、項目１５に記載のシステム。